(57)【要約】【課題】  電極形成部及びフランジ部における、対向するフランジ部側とは反対側の側面に、従来より広範囲に亘って電極層を形成せしめることが可能な巻線型コモンモードコイルのコア用基材を提供すること。【解決手段】  水平方向に延びる巻芯部１２と、該巻芯部１２の両端部の周りにそれぞれ一体的に配設されて、該巻芯部を支持する、全体として矩形形状を呈するフランジ部１４ａ、１４ｂと、それらフランジ部の一つの辺部の中央部位を切除して形成された、該巻芯部から突出する左右の矩形角柱状の電極形成部と１６ａ〜１６ｄを備えた巻線型コモンモードコイルのコア用基材において、少なくともフランジ部１４ａ（１４ｂ）の左右の電極形成部１６ａ、１６ｄ（１６ｂ、１６ｃ）の間に位置する巻芯部１２の部位に、該巻芯部１２内に入り込み、且つ該巻芯部１２の端面において開口する凹部１８ａ（１８ｂ）を設けた。【選択図】    図  １
2007012861.tif 000002
【特許請求の範囲】
【請求項１】
水平方向に延びる巻芯部と、該巻芯部の両端部の周りにそれぞれ一体的に配設されて、該巻芯部を支持する、全体として矩形形状を呈するフランジ部と、それらフランジ部の一つの辺部の中央部位を切除して形成された、該巻芯部から突出する左右の矩形角柱状の電極形成部とを備えた巻線型コモンモードコイルのコア用基材において、
少なくとも前記フランジ部の前記左右の電極形成部の間に位置する巻芯部の部位に、該巻芯部内に入り込み、且つ該巻芯部の端面において開口する凹部を設けたことを特徴とする巻線型コモンモードコイルのコア用基材。
【請求項２】
前記凹部が、前記フランジ部の前記一つの辺部に対応する他の辺部に達するように設けられて、該フランジ部が、該凹部によって、二分されていることを特徴とする請求項１に記載の巻線型コモンモードコイルのコア用基材。
【請求項３】
請求項１又は請求項２に記載の巻線型コモンモードコイルのコア用基材を用いて、該コア用基材の前記電極形成部の各々における少なくとも頂面、及び前記フランジ部の対向するフランジ部側とは反対側の側面に、電極層が設けられており、且つ、一の電極形成部の該側面に設けられた電極層と、該一の電極形成部と同一のフランジ部に設けられた他の一の電極形成部の該側面に設けられた電極層とが、電気的に絶縁状態において設けられていることを特徴とする巻線型コモンモードコイルのコア。
【請求項４】
前記巻芯部が矩形角柱状を呈し、且つ、前記電極形成部の頂面における巻芯部軸方向の長さがａ、該巻芯部の上面からの該電極形成部の高さがｂ、前記左右の電極形成部間の距離がｃである、請求項１に記載の巻線型コモンモードコイルのコア用基材を用いて、かかるコア用基材の前記電極形成部の各々に、その頂面における前記巻芯部の端面対応部位から該巻芯部の軸方向内方に至る距離：Ｌ１（但し、０＜Ｌ１≦ａ）の領域と、前記電極形成部の前記巻芯部端面に対応する側面において、該電極形成部の頂面から該巻芯部の端面に至る距離：Ｌ２（但し、ｂ＜Ｌ２）の領域に、各々、電極層が一体的に、且つ、電気的に絶縁状態において設けられている巻線型コモンモードコイルのコアであって、
前記凹部における、前記巻芯部内への入り込み深さ：ｘ、前記巻芯部の端面における開口長さ：ｙ、及び、該巻芯部の端面における開口幅：ｚが、各々、下記式（１）乃至（３）を満たすように設定されていることを特徴とする巻線型コモンモードコイルのコア。
ｘ≧（Ｌ２−ｂ）・Ｌ１／Ｌ２・・・（１）
ｙ≧Ｌ２−ｂ・・・（２）
０＜ｚ≦ｃ・・・（３）
【請求項５】
請求項３又は請求項４に記載の巻線型コモンモードコイルのコアを用いて形成されている巻線型コモンモードコイル。
【発明の詳細な説明】
【技術分野】
【０００１】
本発明は、巻線型コモンモードコイルのコア用基材、及び、それを用いたコア並びに巻線型コモンモードコイルに係り、特に、各種電子回路に組み込まれる巻線型コモンモードコイルを製造する際に好適に用いられ得るコア用基材に関するものである。
【背景技術】
【０００２】
従来より、電気信号に含まれるノイズ成分を効果的に除去することを目的として、様々な形態のコモンモードコイルが電気回路に組み込まれて、使用されているのであり、それらコモンモードコイルの一形態として、所定の構造を呈するコアに、２本のワイヤをバイファイラ巻きしてなる構造のもの（巻線型コモンモードコイル。以下、適宜コモンモードコイル又はコイルとも言う。）が広く知られている。ここで、そのような巻線型コモンモードコイルを構成するコアとしては、特許文献１（特開２０００−２０８３３１号公報）等にて示されているように、全体がフェライト等にて構成され、水平方向に延びる巻芯部と、かかる巻芯部の両端部の周りにそれぞれ一体的に配設されるフランジ部と、それらフランジ部の一つの辺部の中央部位を切除して形成された、巻芯部から突出する左右の矩形角柱状の突部（電極形成部）とを備えたコア用基材を用いて、そこにおける各電極形成部の頂面に公知の手法に従って電極層を設けて（印刷して）、端子電極部としたものが、一般的に用いられている。
【０００３】
ところで、巻線型コモンモードコイルの回路基板への取り付けは、従来より公知の各種手法に従って行なわれているが、特に、はんだ付けによって基板に取り付ける際には、近年、コイルと回路基板との密着性を向上せしめるべく、生ずるはんだフィレットが大きくなるように、はんだ付けを行なう傾向にある。このような事情により、コイルを構成するコアとしても、上述の如き、矩形角柱状の突部（電極形成部）における頂面にのみ電極層を設けたものに代えて、かかる頂面のみならず、電極形成部における、対向するフランジ部側の側面を除いた側面、特に、対向するフランジ部側とは反対側の側面にも電極層を設けて、端子電極部としたコアが、要求されるようになってきた。
【０００４】
そのような電極形成部の複数面に電極層が設けられてなるコアにあっては、例えば、所定の製法に従って、矩形角柱状の電極形成部を備えたコア用基材を作製した後、かかるコア用基材における電極形成部の目的とする面（少なくとも頂面及び対向するフランジ部側とは反対側の側面に、所定の導電性ペーストを塗布し、塗布後のペーストを乾燥せしめるという作業を、電極形成部の目的とする面毎に行なうことにより、製造することが可能である。
【０００５】
しかしながら、このように導電性ペーストの塗布及び乾燥を複数回実施することは、非常に煩雑なものであるところから、電極形成部における複数の面に電極層を設けてなる巻線型コモンモードコイルのコアを製造するに際しても、特許文献２（特開平９−２１９３３３号公報）に開示されている如き手法が採用されるようになった。即ち、かかる特許文献２においては、チップインダクタの製造方法が提案されているのであり、柱状形の巻回胴部の両端にそれぞれフランジ状の鍔部を有し、それら鍔部における、対向する鍔部側の側面以外の側面に電極膜を備えたコアを製造するあたり、電極膜形成前のコアにおける一の鍔部を、液状の導電材料（導電性ペースト）内に、その液面とコア（巻回胴部）の軸方向とが交差するように傾斜せしめた状態にて浸漬することにより、かかる一の鍔部における所定の側面に電極膜を備えた、目的とするコアを製造する方法が提案されている。そこにおいては、このような方法に従うことにより、液状の導電材料（導電性ペースト）内への一回の浸漬により、電極膜を、一の鍔部における複数の面に同時に形成することが可能であるとされている。
【０００６】
しかしながら、従来の巻線型コモンモードコイルのコアにあっては、上述したように、巻芯部の両端部の周りに一体的に配設された両フランジ部の各々が、一つの辺部の中央部位において切除され、巻芯部から突出する左右の電極形成部とされたコア用基材が用いられているのであり、そのような従来構造のコア用基材の電極形成部に電極層を形成せしめるに際して、特許文献２に提案されている如き手法を用いると、一のフランジ部における左右の電極形成部の各々に電気的に絶縁状態において設けられるべき電極層が、一体的に形成せしめられる恐れがあった。
【０００７】
具体的には、従来構造のコア用基材を、その巻芯部の軸方向と導電性ペーストの液面とが交差するように傾斜せしめて、かかる傾斜状態にて、水平方向下側（導電性ペーストの液面に近い側）の一のフランジ部における左右の電極形成部を、導電性ペースト内に浸漬せしめることにより、電極層を形成する際に、導電性ペーストの液面が、電極形成部における対向するフランジ部側とは反対側の側面（巻芯部端面に対応する側面）を超えて、かかる側面と同一面を構成する、巻芯部の端面（及び一のフランジにおける端面）に至るような深さにおいて、コア用基材を浸漬せしめると、巻芯部における左右の電極形成部間に位置する部位の端面にも、導電性ペーストが付着するところから、左右の電極形成部において一体的（連続的）な電極層が形成せしめられることとなる。従って、従来のコア用基材にあっては、左右の電極形成部の各々に対して、電気的な絶縁状態が確保された電極層を、特許文献２に記載の如き手法に従って形成せしめるに際しては、巻芯部からの突出部分（電極形成部）における対向するフランジ部側とは反対側の側面にしか電極層を設けることが出来ないという問題があったのである。
【０００８】
【特許文献１】特開２０００−２０８３３１号公報
【特許文献２】特開平９−２１９３３３号公報
【発明の開示】
【発明が解決しようとする課題】
【０００９】
ここにおいて、本発明は、かかる事情を背景にして為されたものであって、その解決すべき課題とするところは、巻芯部と、かかる巻芯部の両端部にそれぞれ一体的に配設され、各々、左右の電極形成部を有する二つのフランジ部とを備えた巻線型コモンモードコイルのコア用基材であって、各電極形成部の対向するフランジ部側とは反対側の側面（巻芯部端面に対応する側面）における、かかる電極形成部の頂面から巻芯部の端面の一部にまで及ぶ比較的広い範囲に、電極層を、一のフランジ部における左右の電極形成部の各々に、それらが電気的に絶縁状態が確保された状態にて設けることを可能ならしめるコア用基材を提供することにある。また、本発明は、そのようなコア用基材を用いて作製された巻線型コモンモードコイルのコアや、かかるコアを用いて形成された巻線型コモンモードコイルを提供することも、その解決課題とするものである。
【課題を解決するための手段】
【００１０】
そして、本発明は、かくの如き課題を解決するために、水平方向に延びる巻芯部と、該巻芯部の両端部の周りにそれぞれ一体的に配設されて、該巻芯部を支持する、全体として矩形形状を呈するフランジ部と、それらフランジ部の一つの辺部の中央部位を切除して形成された、該巻芯部から突出する左右の矩形角柱状の電極形成部とを備えた巻線型コモンモードコイルのコア用基材において、少なくとも前記フランジ部の前記左右の電極形成部の間に位置する巻芯部の部位に、該巻芯部内に入り込み、且つ該巻芯部の端面において開口する凹部を設けたことを特徴とする巻線型コモンモードコイルのコア用基材を、その要旨とするものである。
【００１１】
なお、本発明に従う巻線型コモンモードコイルのコア用基材は、上述の如き態様をその主たる態様とするものではあるが、他の好ましい態様の一つにおいては、前記凹部が、前記フランジ部の前記一つの辺部に対応する他の辺部に達するように設けられて、該フランジ部が、該凹部によって、二分されている。
【００１２】
また、本発明は、上述の如き態様の巻線型コモンモードコイルのコア用基材を用いて、該コア用基材の前記電極形成部の各々における少なくとも頂面、及び前記フランジ部の対向するフランジ部側とは反対側の側面に、電極層が設けられており、且つ、一の電極形成部の該側面に設けられた電極層と、該一の電極形成部と同一のフランジ部に設けられた他の一の電極形成部の該側面に設けられた電極層とが、電気的に絶縁状態において設けられていることを特徴とする巻線型コモンモードコイルのコアをも、その要旨とするものである。
【００１３】
さらに、本発明は、前記巻芯部が矩形角柱状を呈し、且つ、前記電極形成部の頂面における巻芯部軸方向の長さがａ、該巻芯部の上面からの該電極形成部の高さがｂ、前記左右の電極形成部間の距離がｃである、上述の如き主たる態様の巻線型コモンモードコイルのコア用基材を用いて、かかるコア用基材の前記電極形成部の各々に、その頂面における前記巻芯部の端面対応部位から該巻芯部の軸方向内方に至る距離：Ｌ１（但し、０＜Ｌ１≦ａ）の領域と、前記電極形成部の前記巻芯部端面に対応する側面において、該電極形成部の頂面から該巻芯部の端面に至る距離：Ｌ２（但し、ｂ＜Ｌ２）の領域に、各々、電極層が一体的に、且つ、電気的に絶縁状態において設けられている巻線型コモンモードコイルのコアであって、前記凹部における、前記巻芯部内への入り込み深さ：ｘ、前記巻芯部の端面における開口長さ：ｙ、及び、該巻芯部の端面における開口幅：ｚが、各々、下記式（１）乃至（３）を満たすように設定されていることを特徴とする巻線型コモンモードコイルのコアをも、その要旨とするものである。
ｘ≧（Ｌ２−ｂ）・Ｌ１／Ｌ２・・・（１）
ｙ≧Ｌ２−ｂ・・・（２）
０＜ｚ≦ｃ・・・（３）
【００１４】
そして、本発明は、上述したような巻線型コモンモードコイルのコアを用いて形成されている巻線型コモンモードコイルをも、その要旨とするものである。
【発明の効果】
【００１５】
このように、本発明に従う巻線型コモンモードコイルのコア用基材にあっては、そのフランジ部における左右の電極形成部の間に位置する巻芯部の部位に、かかる巻芯部内に入り込み、且つ巻芯部の端面において開口する所定の凹部が設けられているところから、このようなコア用基材における電極層の形成を、上述した特許文献２にて提案されている如き手法に従って実施した場合にあっても、各電極形成部の対向するフランジ部側とは反対側の側面（巻芯部端面に対応する側面）における、かかる電極形成部の頂面から巻芯部の端面の一部にまで及ぶ比較的広い範囲に、電極層を、一のフランジ部における左右の電極形成部に設けられるものが互いに電気的な絶縁状態を有利に確保しつつ、設けることが出来るのである。
【００１６】
このような効果は、前記凹部が、フランジ部の前記一つの辺部に対応する他の辺部に達するように設けられて、かかるフランジ部が、そのような凹部によって二分された形態とすることにより、より有利に享受することが可能である。
【００１７】
さらに、このような構造を呈するコア用基材を用いることにより、各電極形成部の対向するフランジ部側とは反対側の側面のみならず、かかる電極形成部の頂面から巻芯部の端面の一部にまで及ぶ比較的広い範囲に、同一のフランジ部における他の電極形成部に設けられたものとは電気的な絶縁状態が有利に確保された電極層が形成された巻線型コモンモードコイルのコアが、有利に得られるのである。
【００１８】
そして、そのような大きな電極層を有するコアを用いて形成された巻線型コモンモードコイルにあっては、回路基板にはんだ付けによって組み付けるに際して、はんだフィレットを大きくすることが可能となり、以て、かかる巻線型コモンモードコイルと回路基板との密着性をより有利に確保することが出来るのである。
【発明を実施するための最良の形態】
【００１９】
以下、本発明を更に具体的に明らかにするために、図面を参照しつつ、本発明の代表的な実施形態について、詳細に説明する。
【００２０】
先ず、図１には、本発明に従う構造とされた巻線型コモンモードコイルのコア用基材の一例が、電極形成部が設けられた側より観察された斜視図において、示されている。そこにおいて示されている巻線型コモンモードコイルのコア用基材１０は、横断面が矩形形状を呈する、水平方向（図において、左右方向）に延びる巻芯部１２と、かかる巻芯部１２の両端部において側面より上下、左右に突出するように一体的に配設されて、巻芯部１２を空間内に（非接触状態で）支持する矩形のフランジ部１４ａ、１４ｂとから、構成されている。
【００２１】
そこにおいて、それらフランジ部１４ａ、１４ｂにおける巻芯部１２の上面より上方に突出した部分にあっては、各々、その中央部位が所定幅（＝ｃ）にて切り欠かれて二分され、４つの角柱状の電極形成部１６ａ、１６ｂ、１６ｃ、１６ｄが、巻芯部１２の上面より所定高さ：ｂにて突出した形態において、形成されている。なお、図１からも明らかなように、巻芯部１２の両端面は、各々、フランジ部１４ｂ（ａ）における対向するフランジ部１４ａ（ｂ）側とは反対側の側面、並びに、電極形成部１６ｂ、１６ｃ（１６ａ、１６ｄ）における対向するフランジ部１４ａ（ｂ）側とは反対側の側面と、同一面である。
【００２２】
そして、かかる図１に示された巻線型コモンモードコイルのコア用基材１０においては、フランジ部１４ｂにおける電極形成部１６ｂ、１６ｃの間に位置する巻芯部１２の部位に、かかる巻芯部１２内に入り込み、且つ、巻芯部１２の端面（図１において右側端面）において開口する矩形状の凹部１８ｂが、設けられているのである。
【００２３】
より具体的には、かかる矩形状の凹部１８ｂは、電極形成部１６ｂ、１６ｃの間に位置する巻芯部１２の部位の端面において、その開口幅：ｚが、ｚ＝ｃとなるように全体に亘って設けられており、図２に示されているように、巻芯部１２内への入り込み深さ：ｘ、及び、巻芯部１２の端面における開口長さ（巻芯部上面からの垂直方向深さ）：ｙの大きさを有するものである。なお、図１に示されたコア用基材１０にあっては、フランジ部１４ａにおける電極形成部１６ａ、１６ｄの中央部位においても、凹部１８ｂと同様の形状を呈する凹部１８ａが設けられているが、かかるコア用基材１０は左右対称構造を呈しているため、フランジ部１４ａ、電極形成部１６ａ、１６ｄ、及び凹部１８ａについての説明は、省略する。
【００２４】
そして、そのような凹部１８ｂが設けられていることにより、本発明に従うコア用基材１０にあっては、各電極形成部における巻芯部１２の端面に対応する側面において、かかる電極形成部の頂面から巻芯部の端面の一部にまで及ぶ広範囲な電極層を、一のフランジ部において隣接する電極形成層に形成せしめられるものと一体となることなく、電気的な絶縁状態を確保した状態において、形成せしめることが可能ならしめられているのである。この点については、以下に詳述する。
【００２５】
なお、かかるコア用基材１０に設けられる凹部１８ｂ（１８ａ）の大きさ（ｘ、ｙ、ｚ）は、各電極形成部における巻芯部１２の端面に対応する側面に設けられることとなる電極層の大きさや、電極形成部における、巻芯部１２の軸方向長さ：ａ、及び巻芯部１２の上面からの高さ：ｂ（ａ、ｂとも図２を参照）、電極形成部間の距離：ｃ等を総合的に勘案して、適宜に所定の値が設定されることとなる。
【００２６】
例えば、図３に示す手法の如く、傾斜せしめたコア用基材１０のフランジ部１４ａ、１４ｂを、各々、導電性ペースト内に浸漬せしめることにより、図２に示すように、各電極形成部（１６ｂ）に、その頂面における巻芯部１２の端面対応部位から巻芯部１２の軸方向内方に至る距離：Ｌ１（但し、０＜Ｌ１≦ａ）の領域と、かかる電極形成部の巻芯部１２の端面に対応する側面において、その頂面から巻芯部１２の端面に至る距離：Ｌ２（但し、ｂ＜Ｌ２）の領域に、電極層を形成せしめるに際しては、凹部（１８ｂ）における、巻芯部１２内への入り込み深さ：ｘ、巻芯部１２の端面における開口長さ（巻芯部上面からの垂直方向深さ）：ｙ、及び、巻芯部１２の端面における開口幅：ｚは、各々、以下の式（１）〜（３）を満たすように設定される。なお、凹部（１８ａ、１８ｂ）は、図１に示されるコア用基材１０においては矩形状を呈するものではあるが、下記式（１）〜（３）を満たす大きさを有する凹部であれば、如何なる形状を呈するものであっても良い。
ｘ≧（Ｌ２−ｂ）・Ｌ１／Ｌ２・・・（１）
ｙ≧Ｌ２−ｂ・・・（２）
０＜ｚ≦ｃ・・・（３）
【００２７】
また、上述したような本発明のコア用基材１０は、従来より公知の各種手法に従って作製することが可能である。例えば、所望の透磁率が得られるように選定された各種フェライト原材料を、粉砕後、混合せしめ、その得られた混合物を目的とする形状に成形した後、焼成することにより作製する手法や、かかる混合物を用いて、先ず、所定の形状に成形し、その成形体を焼成し、得られた焼成体に対して切削加工等を施すことにより、目的とするコア用基材を作製する手法等が、採用されることとなる。
【００２８】
ところで、かかるコア用基材１０の電極形成部１６ａ、１６ｂ、１６ｃ、１６ｄに、所望とする電極層を形成せしめる際の手法としては、従来より公知の各種手法であれば、何れも用いることが可能であるが、本発明に係るコア用基材に対しては、上述した特許文献２において提案されている如き手法が、有利に採用され得ることとなる。図３は、かかる手法の工程を概略的に表わした説明図である。
【００２９】
そこにおいて、先ず、上述の如き構造を呈するコア用基材１０を、４つの電極形成部が存在する側の面が槽２０内の導電性ペースト２２の液面側を向くように反転せしめ、その後、かかるコア用基材１０を、傾斜角度（巻芯部１２における水平方向の軸と水平面（導電性ペースト２２の液面）との間の角度）がθとなるように、傾斜せしめる（図３の（ａ）。
【００３０】
次いで、そのように傾斜せしめたコア用基材１０を、少なくとも、フランジ部１４ｂにおける、電極形成部の１６ｂ、１６ｃの頂面（図１において上面）及び対向するフランジ部１４ａ側とは反対側の側面（巻芯部１２の端面に対応する側面）が、導電性ペースト２２と接触するような深さにおいて、浸漬せしめる（図３の（ｂ））。この際、電極形成部における対向するフランジ部側の側面に導電性ペースト２２が付着すると、最終的に得られる巻線型コモンモードコイルにおいて、磁界などの特性が低下する等の問題を生ずるおそれがあるため、コア用基材１０は、電極形成部における対向するフランジ部側の側面には導電性ペースト２２が付着しないような深さにおいて、導電性ペースト２２内に浸漬せしめられることとなる。
【００３１】
さらに、かかる浸漬の後、導電性ペースト２２内よりコア用基材１０を取り出し、その所定部位に付着した導電性ペースト２２を乾燥せしめる。そして、この作業をフランジ部１４ａ側についても同様に行なうことにより、図４に示される如き、巻線型コモンモードコイルのコア２４が得られるのである。具体的には、巻芯部１２より上方に向かって突出する突部２６ａ、２６ｂ、２６ｃ、２６ｄ（電極形成部１６ａ、１６ｂ、１６ｃ、１６ｄ）において、その各頂面における巻芯部１２の端面対応部位から巻芯部１２の軸方向内方に至る距離：Ｌ１’（Ｌ１’＝ａ）の領域、並びに、各電極形成部における対向するフランジ部側とは反対側の側面（巻芯部１２の端面に対応する側面）において、かかる電極形成部の頂面から巻芯部１２の端面に至る距離：Ｌ２’（ｂ＜Ｌ２）の領域に、各々、電極層が一体的に、且つ、電気的に絶縁状態において設けられて、端子電極部２８ａ、２８ｂ、２８ｃ、２８ｄを構成している。
【００３２】
そして、そのように端子電極部２８ａ、２８ｂ、２８ｃ、２８ｄが設けられてなるコア２４にあっては、図４からも明らかなように、各電極形成部における対向するフランジ部側とは反対側の側面（巻芯部１２の端面に対応する側面）において設けられた電極層は、かかる電極形成部の頂面から巻芯部１２の端面に至る距離：Ｌ２’（ｂ＜Ｌ２）の領域内において、即ち、電極形成部における対向するフランジ部側とは反対側の側面のみならず、それを含むより大きな範囲において、設けられているのである。
【００３３】
すなわち、図３に示す如き手法に従って、電極形成部に電極層を形成せしめる場合、一のフランジ部の突部における、対向する他のフランジ部側とは反対側の側面に設けられる電極層の大きさは、水平面（導電性ペースト２２の液面）に対するコア用基材１０の傾斜角度：θに依存することとなる。
【００３４】
かかる傾斜角度：θは、巻芯部における一のフランジ部にて隣接する左右の電極形成部の間に位置する部位に、所定の凹部が設けられていない、従来のコア用基材を用いた場合には、かかる一のフランジ部における左右の電極形成部の各々に、互いに電気的に絶縁状態となるように電極層を設けるためには、図５の（ａ）に示されるように、電極形成部における対向するフランジ部側とは反対側の側面（図５の（ａ）におけるα１部）においてのみ電極層が形成されるような角度、具体的には、０＜θ＜θ１の関係を満たすようなθを、傾斜角度として設定する必要があった。
【００３５】
これに対して、巻芯部における一のフランジ部にて隣接する左右の電極形成部の間に位置する部位に、所定の凹部（１８ｂ）を設けてなる本発明のコア用基材（１０）を用いると、かかるコア用基材（１０）における巻芯部（１２）の端面の、電極形成部（１６ｂ）側の一部が、凹部（１８ｂ）の一部として、巻芯部１２側に入り込んだものとなっているところから、電極形成部（１６ｂ）の巻芯部（１２）に対応する側面において、かかる電極形成部（１６ｂ）の頂面から巻芯部（１２）の端面の一部に至るまでの領域（図５（ｂにおけるα２部）において電極層が形成されるような角度、具体的には、θ１より大きいθ２を上限とする、０＜θ＜θ２の関係を満たすようなθを採用することが出来るのであり、これにより、図５の（ｂ）に示されているような広い範囲（α２部）において、電極層を形成せしめることが可能となっているのである。
【００３６】
上述の如くして端子電極部２８ａ、２８ｂ、２８ｃ、２８ｄが設けられたコア２４にあっては、従来の巻線型コモンモードコイルのコアと同様に、その巻芯部１２上には、２本のワイヤが並列に巻回せしめられる（バイファイラ巻きされる）と共に、その絶縁被覆が除去された２本のワイヤの両端は、一のワイヤについては、一方の先端が端子電極部２８ａに、他方の先端が端子電極部２８ｂに、それぞれ電気的に接続され、また、他の一のワイヤについては、一方の先端が端子電極部２８ｃに、他方の先端が端子電極部２８ｄに、それぞれ電気的に接続されることにより、コア２４に２本のワイヤが一体的に組み付けられてなる、目的とする巻線型コモンモードコイルが作製されるのである。
【００３７】
なお、本発明において用いられるワイヤとしては、従来の巻線型コモンモードコイルにおいて採用されているワイヤと同様のもの、具体的には、ポリウレタン樹脂等の絶縁材料にて被覆された銅線等の中から、目的とするコイルの特性、用途等に応じたものが適宜に選択されて、用いられることとなる。また、そのようなワイヤを端子電極部２８ａ〜２８ｄに電気的に接続せしめる際には、はんだ付けや熱圧着等の公知の手法が採用される。
【００３８】
そして、このようにして得られた本発明の巻線型コモンモードコイルにあっては、各端子電極部における、対向するフランジ部側とは反対側の面に設けられた電極層が、従来と比較して大きい（広範囲に及ぶ）ものとされているところから、かかるコイルを、はんだ付けによって回路基板上に組付けるに際して、はんだフィレットを効果的に大きくすることが可能ならしめられているのであり、このようにはんだフィレットを大きくすることによって、回路基板に対するコイルの密着性の向上が有利に図られることとなる。
【００３９】
以上、本発明の代表的な具体例について詳述したが、それは、あくまでも例示に過ぎないものであって、本発明が、そのような記載によって、何等の制約をも受けるものでないことは、言うまでもないところである。
【００４０】
例えば、図１に示されているコア用基材１０にあっては、そのフランジ部１４ａ（１４ｂ）における左右の電極形成部１６ａ、１６ｄ（１６ｂ、１６ｃ）の間に位置する巻芯部１２の部位に、凹部１８ａ（１８ｂ）が、かかる巻芯部１２上面付近の一部を切り欠いたような状態にて、設けられているが、本発明においては、図６に示されているコア用基材３０のように、そのフランジ部３４ａ（３４ｂ）における左右の電極形成部３６ａ、３６ｄ（３６ｂ、３６ｃ）の間に位置する巻芯部３８の部位、及びフランジ部３４ａ（３４ｂ）の部位に、凹部３２ａ（３２ｂ）を、フランジ部３４ａ（３４ｂ）の一つの辺部に対応する他の辺部に達するように設けて、具体的には、フランジ部３４ａ（３４ｂ）における下端面にまで達するように設けて、かかる凹部３２ａ（３２ｂ）によってフランジ部３４ａ（３４ｂ）を二分するようにしても良い。このような構造としたコア用基材３０において、フランジ部３４ａ（３４ｂ）における電極形成部３６ａ、３６ｄ（３６ｂ、３６ｃ）に端子電極部を形成せしめると、それら端子電極部における電気的な絶縁状態を、より有利に確保することが可能である。
【００４１】
また、図１に示されるコア用基材１０の凹部１８ａ（１８ｂ）は、矩形状を呈するものであるが、本発明のコア用基材に設けられる凹部としては、例えば、図７に示すコア用基材４０のように、電極形成部間に位置する巻芯部の端面が、かかる巻芯部の上面と傾斜する傾斜面にて切除されて、形成されるような形状を呈する凹部４２ａ（４２ｂ）であっても良い。
【００４２】
さらに、図１に示されるコア用基材１０の凹部１８ａ（１８ｂ）は、巻芯部１２における電極形成部１６ａ、１６ｄ（１６ｂ、１６ｃ）間に位置する部位に、電極形成部１６ａ、１６ｂ間の対向方向の全体に亘って凹部１８ａ（１８ｂ）が設けられているが、本発明においては、図８に示されているコア用基材４４の如く、かかる部位の一部に凹部４６ａ（４６ｂ）を設けるようにしても良い。また、図９に示すコア用基材４８のように、凹部５０ａ（５０ｂ）を、巻芯部５２の上面からフランジ部５４ａ、５４ｂの下端面に達するように設けて、かかる凹部５０ａ（５０ｂ）によってフランジ部５４ａ（５４ｂ）を二分するものであっても良い。
【００４３】
さらにまた、本発明に従うコア用基材としては、図１０に示されるコア用基材５６のように、巻芯部５８の上面（電極形成部６０ａ、６０ｂ、６０ｃ、６０ｄが設けられた側の面）に、かかる巻芯部５８のフランジ部６２ａ側の端面からフランジ部６２ｂ側の端面にまで及ぶ凹部６４が設けられたものであっても良い。
【００４４】
加えて、図１に示されたコア用基材１０、図６に示されたコア用基材３０、図７に示されたコア用基材４０、図８に示されたコア用基材４４、図９に示されたコア用基材４８、及び図１０に示されたコア用基材５６の各巻芯部は、何れも、水平方向に延びる、矩形角柱形状とされているが、そのような矩形角柱形状に代えて、円柱形状や楕円柱形状とすることも可能である。
【００４５】
その他、一々列挙はしないが、本発明が、当業者の知識に基づいて、種々なる変更、修正、改良等を加えた態様において実施され得るものであって、また、そのような実施態様が、本発明の趣旨を逸脱しない限りにおいて、何れも、本発明の範囲内に含まれるものであることは、言うまでもないところである。
【図面の簡単な説明】
【００４６】
【図１】本発明に従う構造とされた巻線型コモンモードコイルのコア用基材の一例を示す斜視図である。
【図２】図１に示された巻線型コモンモードコイルのコア用基材を部分的に拡大した断面図である。
【図３】本発明に従う構造とされた巻線型コモンモードコイルのコア用基材に、電極層よりなる端子電極部を形成せしめる手法の一例を概略的に示す説明図である。
【図４】図１に示されるコア用基材に、図３に示される手法に従って電極層（端子電極部）を形成せしめた巻線型コモンモードコイルのコアを示す斜視図である。
【図５】（ａ）は、従来構造のコア用基材における電極形成部に、図３に示す如き手法にて電極層を形成せしめ得る最大領域を示す説明図であり、（ｂ）は、本発明に従うコア用基材における電極形成部に、図３に示す如き手法にて電極層を形成せしめ得る最大領域を示す説明図である。
【図６】本発明に従う構造とされた巻線型コモンモードコイルのコア用基材の、他の一例を示す斜視図である。
【図７】本発明に従う構造とされた巻線型コモンモードコイルのコア用基材の、更に他の一例を示す斜視図である。
【図８】本発明に従う構造とされた巻線型コモンモードコイルのコア用基材の、別の一例を示す斜視図である。
【図９】本発明に従う構造とされた巻線型コモンモードコイルのコア用基材の、更に別の一例を示す斜視図である。
【図１０】本発明に従う構造とされた巻線型コモンモードコイルのコア用基材の、更に異なる一例を示す斜視図である。
【符号の説明】
【００４７】
１０    コア用基材
１２    巻芯部
１４ａ、１４ｂ    フランジ部
１６ａ、１６ｂ、１６ｃ、１６ｄ    電極形成部
１８ａ、１８ｂ  凹部
２０    槽
２２    導電性ペースト
２４    コア
２６ａ、２６ｂ、２６ｃ、２６ｄ    突部
２８ａ、２８ｂ、２８ｃ、２８ｄ    端子電極部
３０    コア用基材
３２ａ、３２ｂ    凹部
３４ａ、３４ｂ    フランジ部
３６ａ、３６ｂ、３６ｃ、３６ｄ    電極形成部
３８    巻芯部
４０    コア用基材
４２ａ、４２ｂ    凹部
４４    コア用基材
４６ａ、４６ｂ    凹部
４８    コア用基材
５０ａ、５０ｂ    凹部
５２    巻芯部
５４ａ、５４ｂ    フランジ部
５６    コア用基材
５８    巻芯部
６０ａ、６０ｂ、６０ｃ、６０ｄ    電極形成部
６２ａ、６２ｂ    フランジ部
６４    凹部
【図１】
2007012861.tif 000003
【図２】
2007012861.tif 000004
【図３】
2007012861.tif 000005
【図４】
2007012861.tif 000006
【図５】
2007012861.tif 000007
【図６】
2007012861.tif 000008
【図７】
2007012861.tif 000009
【図８】
2007012861.tif 000010
【図９】
2007012861.tif 000011
【図１０】
2007012861.tif 000012